(57)【要約】【課題】  天井裏での取付け作業を要することなく、確実且つ簡易に天井に吊下げることができるとともに、表示装置の取付けも容易な天井吊金具を提供すること。【解決手段】  表示装置を天井から吊下げるための天井吊金具であって、天井面に下側から接し、該天井を支える下地材に取付けられるベース部と、該ベース部の天井に面する中央部分を貫通して垂直方向に該ベース部に取付けられる下パイプを有するパイプ部と、表示装置を取付けて該パイプ部に引掛けて固定する取付ブラケットとからなり、前記パイプ部の上端には、前記ベース部に挿通された状態で天井面に当該パイプ部が貫通する穴を形成する切欠き刃が設けられていることを特徴とする天井吊金具とする。【選択図】  図１
2008156892.tif 000002
【特許請求の範囲】
【請求項１】
表示装置を天井から吊下げるための天井吊金具であって、
天井面に下側から接し、該天井を支える下地材に取付けられるベース部と、
該ベース部の天井に面する中央部分を貫通して垂直方向に該ベース部に取付けられる下パイプを有するパイプ部と、
表示装置を取付けて該パイプ部に引掛けて固定する取付ブラケットとからなり、
前記パイプ部の上端には、前記ベース部に挿通された状態で天井面に当該パイプ部が貫通する穴を形成する切欠き刃が設けられていることを特徴とする天井吊金具。
【請求項２】
前記ベース部は、天井面に接する板状体のベースと、該ベースの中央部に該ベースから垂直下方向に突出して設けられた上パイプとで構成されていることを特徴とする請求項１記載の天井吊金具。
【請求項３】
前記ベース部には、前記ベースの中央部に垂直方向に厚みを形成する補強金具が備えられ、前記上パイプが貫通していることを特徴とする請求項２記載の天井吊金具。
【請求項４】
前記下パイプは、軸方向に複数設けた取付穴のうちのいずれかによって前記ベース部に取付けられていることを特徴とする請求項１乃至３いずれか記載の天井吊金具。
【請求項５】
前記下パイプの下端部には、前記取付ブラケットを固定して、該取付ブラケットを略垂直から所定角度までの任意の角度で前傾可能、且つ、水平方向に回転自在なチルトベースを備えていることを特徴とする請求項１乃至４いずれか記載の天井吊金具。
【発明の詳細な説明】
【技術分野】
【０００１】
本発明は、天井吊金具に関し、より詳しくは、表示装置を確実且つ簡易に天井に吊下げる天井吊金具に関するものである。
【背景技術】
【０００２】
従来から、表示装置を天井から吊下げて設置することは一般的に行われている。近年特に、液晶ディスプレイやプラズマディスプレイ等のように、薄型化且つ軽量化が進んでいるため、比較的大型の表示装置でも天井から吊下げるようになっている。
天井から吊下げる方式は、壁に取付ける方式よりも角度を自由に設定できるという利点があり、大勢の人が利用する施設において需要が高い。例えば、カラオケ店等の娯楽施設や語学教室等の各種学校施設では、表示装置に映し出された文字を利用者全員が読取れるようにする必要があり、大型の表示装置を１台壁に取付け、比較的小さめの表示装置を数多く天井から吊下げて設置し、色々な場所から見易いようにしている。
このように数多くの表示装置を天井から吊下げる必要がある場所では、容易に天井に吊下げることができる装置が望まれる。
【０００３】
そこで、表示装置の裏面に、天井から垂設した支持部材に固定される取付部材を取付け、この取付部材を、表示装置の裏面側の中央に配置される箱型のメイン部材と、このメイン部材の左右壁の孔に貫通してメイン部材の左右に突出する棒状部材と、この棒状部材の左右両側部分に位置変更自在に取付け可能で、且つ、表示装置の裏面に連結可能な左右一対のサブ部材とを備え、支持部材の下端のフランジ部とメイン部材を構成する天板部とを上下方向で一部が重複する状態で固定している表示装置の吊下げ装置が提案されている（下記特許文献１参照）。
この吊下げ装置によれば、サブ部材の取付位置を変更するだけで、大きさの異なる表示装置を吊下げることができ、コストの低減化を図ることができるとともに、メイン部材とそれに貫通突出する棒状部材とで構成して強度を高くすることができる。また、メイン部材の融通部を通して支持部材の下端のフランジ部の上面に、メイン部材の天板部を載置支持させることによって、載置作業を容易迅速に行うことができる。
【０００４】
しかしながら、前記吊下げ装置は、天井裏から垂設して天井を貫通させた円筒状金属性パイプに外嵌するので、この外嵌後の吊下げ装置に表示装置を取付ける作業は、前述のように容易であるとしても、天井裏にて前記パイプを垂設する作業は容易ではない。
【０００５】
【特許文献１】特開２００６−３１７５０４号公報
【発明の開示】
【発明が解決しようとする課題】
【０００６】
本発明は、上述したような従来技術の問題点を解決すべくなされたものであって、天井裏での取付け作業を要することなく、確実且つ簡易に天井に吊下げることができるとともに、表示装置の取付けも容易な天井吊金具を提供するものである。
【課題を解決するための手段】
【０００７】
請求項１に係る発明は、表示装置を天井から吊下げるための天井吊金具であって、天井面に下側から接し、該天井を支える下地材に取付けられるベース部と、該ベース部の天井に面する中央部分を貫通して垂直方向に該ベース部に取付けられる下パイプを有するパイプ部と、表示装置を取付けて該パイプ部に引掛けて固定する取付ブラケットとからなり、前記パイプ部の上端には、前記ベース部に挿通された状態で天井面に当該パイプ部が貫通する穴を形成する切欠き刃が設けられていることを特徴とする天井吊金具に関する。
【０００８】
請求項２に係る発明は、前記ベース部は、天井面に接する板状体のベースと、該ベースの中央部に該ベースから垂直下方向に突出して設けられた上パイプとで構成されていることを特徴とする請求項１記載の天井吊金具に関する。
【０００９】
請求項３に係る発明は、前記ベース部には、前記ベースの中央部に垂直方向に厚みを形成する補強金具が備えられ、前記上パイプが貫通していることを特徴とする請求項２記載の天井吊金具に関する。
【００１０】
請求項４に係る発明は、軸方向に複数設けた取付穴のうちのいずれかによって前記ベース部に取付けられていることを特徴とする請求項１乃至３いずれか記載の天井吊金具に関する。
【００１１】
請求項５に係る発明は、前記下パイプの下端部には、前記取付ブラケットを固定して、該取付ブラケットを略垂直から所定角度までの任意の角度で前傾可能、且つ、水平方向に回転自在なチルトベースを備えていることを特徴とする請求項１乃至４いずれか記載の天井吊金具に関する。
【発明の効果】
【００１２】
請求項１に係る発明によれば、天井面に下側から接して天井の下地材（野ぶち材）に取付けられるベース部と、ベース部の中央部分を貫通して垂直方向にベース部に取付けられる下パイプを有するパイプ部と、表示装置を取り付けてパイプ部に引掛けて固定する取付ブラケットとで構成し、パイプ部の上端にベース部に挿通された状態で天井面に穴を形成する切欠き刃を設けたので、天井裏での取付け作業を要することなく、ベース部の中央部分に挿通して確実に天井面に穴を形成することができ、そのままパイプ部をベース部に固定して簡易にベース部及びパイプ部を吊下げることができる。また、持上げることなく表示装置を取付けた取付ブラケットを、パイプ部に引掛けて容易に取付けることができる。
【００１３】
請求項２に係る発明によれば、ベース部を、天井面に接する板状体のベースと、ベースの中央部にベースから垂直下方向に突出して設けられた上パイプとで構成したので、パイプ部の下パイプをベース部の上パイプに挿通するだけで、確実に天井面に対して垂直に下パイプを当てて、容易且つ正確に穴を開けることができる。
【００１４】
請求項３に係る発明によれば、ベース部には、ベースの中央部に垂直方向に厚みを形成する補強金具を備え、上パイプが貫通しているので、パイプ部の吊下げ時に、上下パイプの水平方向の振れを防止することができ、天井吊金具の強度を確保することが可能である。
【００１５】
請求項４に係る発明によれば、前記下パイプは、軸方向に複数設けた取付穴のうちのいずれかによってベース部に取付けるので、下パイプを垂直方向に移動させると、天井裏に突出する下パイプの長さが変わり、下パイプが所望の長さになる取付け穴でベース部に取付けることができ、天井からの吊下げ長さを調節することが可能である。
【００１６】
請求項５に係る発明によれば、前記下パイプの下端部には、取付ブラケットを固定して略垂直から所定角度までの任意の角度で前傾可能、且つ、水平方向に回転自在なチルトベースを備えたので、天井からの吊下げ長さの調節に加えて、前傾角度及び水平方向の回転角度を任意に設定することができ、部屋内のいずれの場所からでも吊下げられた表示装置を最も見やすい状態に設定することが可能となる。
【発明を実施するための最良の形態】
【００１７】
以下、本発明に係る天井吊金具の好適な実施形態について、図面を参照しつつ説明する。
図１は、本発明に係る天井吊金具の実施形態の一例を示し、（ａ）は斜視図、（ｂ）は正面図、（ｃ）は右側面図である。
天井吊金具（１）は、天井面に下側から接し、天井を支える下地材（野ぶち材）に取付けられるベース部（２）と、ベース部（２）の天井に面する中央部分を貫通し、天井からの吊下げ長さを調節可能に垂直方向にベース部（２）に取付けられる下パイプ（３１）を有するパイプ部（３）と、表示装置を取付けてパイプ部（３）に引掛けて固定する取付ブラケット（４）とからなる。
【００１８】
図２は図１におけるベース部を示し、（ａ）は正面図、（ｂ）は側面図、（ｃ）は底面図である。図３は図１におけるベース部のベースを示し、（ａ）は正面図、（ｂ）は側面図、（ｃ）は底面図である。図４は図１におけるベース部の補強金具を示し、（ａ）は正面図、（ｂ）は右側面図、（ｃ）は底面図である。
ベース部（２）は、天井面に接する板状体のベース（２１）と、ベース（２１）の中央部にベース（２１）から垂直下方向に突出して設けられた上パイプ（２２）と、ベース（２１）の中央部に垂直方向に厚みを形成する補強金具（２３）とで構成される。
上パイプ（２２）には、下端部において軸と直角な面の十字方向の４箇所に下パイプを固定するためのボルト穴（２５）が設けられている。
これらのベース（２１）、上パイプ（２２）及び補強金具（２３）は溶接されている。
【００１９】
ベース（２１）には野ぶち材にネジ止めするための長穴（２４）が設けられている。上パイプ（２２）は円筒形状で、ベース（２１）及び補強金具（２３）を貫通している。
補強金具（２３）を備えていることによって、上パイプ（２２）を安定してベース（２１）から垂直下方向に取付けることができ、さらに後述する下パイプを取付けて表示装置を吊下げたとき、上下パイプの水平方向の振れを防止することが可能となる。
【００２０】
ここで、前述のように構成されるベース部（３）を取付ける天井構造について説明する。
図５は、一般的な天井構造の例を模式的に示す構成図である。図６は、図５の天井構造に天井板を設置する２種類の方法を示し、（ａ）はプラスターボードに貼り付ける方法、（ｂ）は直接ネジ止めする方法である。
最近の天井構造では、コンクリート造や木造等の建築方法に依らず、軽量金属製の下地材である野ぶち材（Ｍバー）が使用される軽天が一般的である。野ぶち材には、幅約２５ｍｍで幅方向に１つのネジで固定するシングルバー（１０１）と、幅約５０ｍｍで幅方向に２つのネジで固定するダブルバー（１０２）とがある。
【００２１】
軽天の構造においては、例えば図５のように、天井スラブからの吊ボルト（１０３）に取付けられた吊金具（１０４）で、野ぶち受材であるＣ型チャネル（１０５）を吊っている。このＣ型チャネル（１０５）には、Ｃ型チャネル（１０５）と直交してシングルバー（１０１）及びダブルバー（１０２）が、図示しない接続金具によって交差支持されている。これらの野ぶち材（１０１，１０２）の間隔は約３００ｍｍに設定される。
これらの野ぶち材（１０１，１０２）に対して天井板として、図６（ａ）のように、まずプラスターボード（１０６）をネジ止めして張り、そのプラスターボード（１０６）に接着剤でジプトン（１０７）を貼ったものや、図６（ｂ）のように、ジプトン（１０７）を直接ネジ止めしたものがある。このジプトン（１０７）は約９００ｍｍ角である。
【００２２】
このような軽天の野ぶち材（１０１，１０２）に、本実施形態の天井吊金具（１）のベース（２１）に設けられた長穴（２４）を合わせてネジ止めする。ベース（２１）の長手方向の幅が約３５０ｍｍに設定されていれば、約３００ｍｍ間隔の野ぶち材（１０１、１０２）に丁度ネジ止めすることができる。
ベース（２１）が野ぶち材（１０１，１０２）にネジ止めされた状態で、上パイプ（２２）の穴は野ぶち材（１０１，１０２）の間に位置するが、野ぶち材（１０１，１０２）と直交するＣ型チャネル（１０５）を避けてネジ止めする。
【００２３】
図７は図１における下パイプ（３１）を示し、（ａ）は正面図、（ｂ）は左側面図、（ｃ）は平面図、（ｄ）は底面図である。図８は図１におけるパイプ部のネック部を示し、（ａ）は右側面図、（ｂ）は背面図、（ｃ）は底面図である。図９は図１におけるパイプ部のチルトベースを示し、（ａ）は正面図、（ｂ）は右側面図、（ｃ）は平面図、（ｄ）は底面図である。図１０は図１における天井吊金具の下端部周辺における動きを示す状態図である。
パイプ部（３）は、前述のようにベース部（２）の天井に面する中央部分を貫通し、天井からの吊下げ長さを調節可能に垂直方向にベース部（２）に取付けられる下パイプ（３１）と、後述する表示装置を取付ける取付ブラケットを固定し、該取付ブラケットを略垂直から所定角度まで前傾可能なチルトベース（３２）と、チルトベース（３２）を下パイプ（３１）に取付けるためのネック部（５）とで構成される。
【００２４】
下パイプ（３１）は、円筒状で、上端部に４つの切欠き刃（３３）を有し、軸を通って軸と直角方向に左右側面を貫通するボルト穴（３４）を、長手方向に複数個備えている。
ネック部（５）は、下パイプ（３１）の下部を内側に収容する円筒形状のネックパイプ（５１）と、ネックパイプ（５１）と係合してチルトベース（３２）を取付けるネック金具（５２）とからなる。これらのネックパイプ（５１）とネック金具（５２）は溶接されている。
【００２５】
ネックパイプ（５１）には側面の軸方向中心部にナット穴（５３）が設けられ、ボルトによって収容する下パイプ（３１）の下部を締付けるようになっている。これによって、図１０に示すように、下パイプ（３１）に対してネックパイプ（５１）を水平方向に３６０度回転自在に固定することができる。
ネック金具（５２）は、正面形状が矩形で、背面側でネックパイプ（５１）に溶接固定されている。このネック金具（５２）の両側面には、チルトベース（３２）を回動させるため、これを軸支する下端部のネジ穴（５４）と、上端部のネジ穴（５５）が設けられている。
【００２６】
チルトベース（３２）は、正面がネック金具（５２）の正面より１回り大きい矩形で、左右側面が約４５度の略扇形状で、中心角にはネック金具（５２）の下端部のネジ穴（５５）とともにネジ止めするためのネジ穴（３６）が設けられている。また、弧状の上端部には、ネック金具（５２）の上端部のネジ穴（５５）に対応する弧状の長穴（３７）が設けられている。さらに、正面上部には取付ブラケットを引掛けるためのフック（３８）が、底面には正面側に突出して取付ブラケットを固定するためのネジ穴（３９）が設けられている。
よって、チルトベース（３２）は、図１０に示すように、ネック金具（５２）と正面を合わせてネック金具（５２）に外装し、ネジ穴（３６）を軸として長穴（３７）の任意の位置でネジ止めして、ネック金具（５２）に対して約４５度までの任意の角度で前傾させることができる。
【００２７】
図１１は図１における取付ブラケットを示し、（ａ）は正面図、（ｂ）は右側面図、（ｃ）は底面図である。
取付ブラケット（４）には、表示装置を固定するための取付穴（４１）と、この取付ブラケット（４）をチルトベース（３２）のフック（３８）に引掛けるための長穴（４２）と、チルトベース（３２）のネジ穴（３９）に合わせて固定用ネジを用いて固定するためのネジ穴（４３）とが設けられている。
【００２８】
以上のように天井吊金具（１）を構成する各部材には、一般構造用炭素鋼管等を用いることができ、鋼材であれば特に限定されない。
【００２９】
次に、天井吊金具（１）を構成する各部材において、本発明において最も特徴的なパイプ部（３）をベース部（２）へ取付ける動作について説明する。
図１２はパイプ部のベース部への取付け動作を説明するための状態図であり、（ａ）は天井の穴あけ時、（ｂ）は固定時である。図１３は天井に取付けられた天井吊金具を示し、（ａ）は短い吊下げ状態、（ｂ）は長い吊下げ状態である。
【００３０】
予め、ベース部（２）は、その長穴（２４）を介して天井下から野ぶち材（１０１，１０２）にビス固定しておく。このとき、ベース部（２）の上パイプ（２２）が、野ぶち材（１０１，１０２）と直交するＣ型チャネル（１０５）の下に位置しないようにする。また、下パイプ（３１）にネック部（５）及びチルトベース（３２）を取付け、パイプ部（３）を組立てておく（ステップ０）。
ベース部（２）では、天井から垂直下方向に上パイプ（２２）が突出しているので、この上パイプ（２２）にパイプ部（３）の下パイプ（３１）を差込めば、下パイプ（３１）を天井面に垂直に当てることになる（ステップ１）。
【００３１】
この状態で、下パイプ（３１）の切欠き刃（３３）を天井面に押し当てながら、パイプ部（３）を左又は右に回転させると、ジプトン（１０７）やプラスタボード（１０６）の天井板に穴を開けることができる（ステップ２）。
なお、穴開け時に発生する天井板の破片や切りくずは、下パイプ（３１）の穴から下に落ちたり、下パイプ（３１）の切欠き刃（３３）側から天井裏に落ちたりして、切欠き刃（３３）部分には残らないので、穴あけ後、一端下パイプ（３１）を上パイプ（２２）から取出す必要がなく、そのまま次の作業に移行することが可能である。
【００３２】
次いで、表示画面の位置を考慮して、天井からの下パイプ（３１）の吊下げ長さを調節し、固定しようとする下パイプ（３１）のボルト穴（３４）を上パイプ（２２）のボルト穴（２５）に合わせ、両パイプ（３１，２２）の一方側から他方側へ貫通するようにボルトを挿入して他方側のナットで固定する（ステップ３）。
このとき、天井からの下パイプ（３１）の吊下げ長さを短く固定すると、例えば図１３（ａ）のようになり、下パイプ（３１）の上部三分の二程は、天井裏に突出している。また、下パイプ（３１）の吊下げ長さを最も長くして上パイプ（２２）に固定すると、図１３（ｂ）のようになり、天井裏には下パイプ（３１）が突出していない。
【００３３】
そして、表示装置に取付ブラケット（４）を取付け、その取付ブラケット（４）の長穴（４２）を、天井に吊下げられたパイプ部（３）のチルトベース（３２）のフック（３８）に引掛け、チルトベース（３２）のネジ穴（３９）に取付ブラケット（４）のネジ穴（４３）を合わせて固定用ネジを用いて固定する（ステップ４）。
この後は、前述の図１０を参照して説明したように、ネックパイプ（５１）のナット穴（５３）に固定されたボルトを弛めて水平方向の表示装置の向きを変更したり、チルトベース（３２）の長穴（３７）のネジを弛め、長穴（３７）の任意の位置にネジが位置するように表示装置の前傾角度を変更したりして、表示装置を適切な角度に設定し、表示装置の取付けを完了する（ステップ５）。
【００３４】
以上のように、本実施形態の天井吊金具（１）は、天井面に下側から接して天井の野ぶち材に取付けられるベース部（２）と、ベース部（２）の中央部分を貫通して垂直方向にベース部（２）に取付けられる下パイプ（３１）を有するパイプ部（３）と、表示装置を取り付けてパイプ部（３）に引掛けて固定する取付ブラケット（４）とで構成し、パイプ部（３）の上端にベース部（２）に挿通された状態で天井面に穴を形成する切欠き刃（３３）を設けたので、天井裏での取付け作業を要することなく、ベース部（２）の中央部分に挿通して確実に天井面に穴を形成することができ、そのままパイプ部（３）をベース部（２）に固定して簡易にベース部（２）及びパイプ部（３）を吊下げることができる。また、持上げることなく表示装置を取付けた取付ブラケット（４）を、パイプ部（３）に引掛けて容易に取付けることができる。
【００３５】
また、ベース部（２）を、天井面に接する板状体のベース（２１）と、ベース（２１）の中央部にベース（２１）から垂直下方向に突出して設けられた上パイプ（２２）とで構成したので、パイプ部（３）の下パイプ（３１）をベース部（２）の上パイプ（２２）に挿通するだけで、確実に天井面に対して垂直に下パイプ（３１）を当てて、容易且つ正確に穴を開けることができる。
さらに、ベース部（２）には、ベース（２１）の中央部に垂直方向に厚みを形成する補強金具（２３）を備え、上パイプ（２２）が貫通しているので、パイプ部（３）の吊下げ時に、上下パイプ（２２，３１）の水平方向の振れを防止することができ、天井吊金具（１）の強度を確保することが可能である。
【００３６】
また、下パイプ（３１）は、軸方向に複数設けた取付穴のうちのいずれかによってベース部（２）に取付けるので、下パイプ（３１）を垂直方向に移動させると、天井裏に突出する下パイプ（３１）の長さが変わり、下パイプ（３１）が所望の長さになる取付け穴でベース部（２）に取付けることができ、天井からの吊下げ長さを簡易な構成で容易に調節することが可能である。
【産業上の利用可能性】
【００３７】
本発明は、天井面に取付けて視聴する比較的小型の液晶テレビやプラズマテレビ等の表示装置に対して好適に利用されるものである。
【図面の簡単な説明】
【００３８】
【図１】本発明に係る天井吊金具の実施形態の一例を示し、（ａ）は斜視図、（ｂ）は正面図、（ｃ）は右側面図である。
【図２】図１におけるベース部を示し、（ａ）は正面図、（ｂ）は側面図、（ｃ）は底面図である。
【図３】図１におけるベース部のベースを示し、（ａ）は正面図、（ｂ）は側面図、（ｃ）は底面図である。
【図４】図１におけるベース部の補強金具を示し、（ａ）は正面図、（ｂ）は右側面図、（ｃ）は底面図である。
【図５】一般的な天井構造の例を模式的に示す構成図である。
【図６】図５の天井構造に天井板を設置する２種類の方法を示し、（ａ）はプラスターボードに貼り付ける方法、（ｂ）は直接ネジ止めする方法である。
【図７】図１における下パイプ（３１）を示し、（ａ）は正面図、（ｂ）は左側面図、（ｃ）は平面図、（ｄ）は底面図である。
【図８】図１におけるパイプ部のネック部を示し、（ａ）は右側面図、（ｂ）は背面図、（ｃ）は底面図である。
【図９】図１におけるパイプ部のチルトベースを示し、（ａ）は正面図、（ｂ）は右側面図、（ｃ）は平面図、（ｄ）は底面図である。
【図１０】図１における天井吊金具の下端部周辺における動きを示す状態図である。
【図１１】図１における取付ブラケットを示し、（ａ）は正面図、（ｂ）は右側面図、（ｃ）は底面図である。
【図１２】イプ部のベース部への取付け動作を説明するための状態図であり、（ａ）は天井の穴あけ時、（ｂ）は固定時である。
【図１３】天井に取付けられた天井吊金具を示し、（ａ）は短い吊下げ状態、（ｂ）は長い吊下げ状態である。
【符号の説明】
【００３９】
１            天井吊金具
２            ベース部
３            パイプ部
４            取付ブラケット
３１          下パイプ
【図１】
2008156892.tif 000003
【図２】
2008156892.tif 000004
【図３】
2008156892.tif 000005
【図４】
2008156892.tif 000006
【図５】
2008156892.tif 000007
【図６】
2008156892.tif 000008
【図７】
2008156892.tif 000009
【図８】
2008156892.tif 000010
【図９】
2008156892.tif 000011
【図１０】
2008156892.tif 000012
【図１１】
2008156892.tif 000013
【図１２】
2008156892.tif 000014
【図１３】
2008156892.tif 000015